(57)【要約】  画像処理方法。方法は、１つ又は複数のアウトフィットデザインを表示するためのユーザ要求をクライアント端末で受信することと、アウトフィットデザインに関連する少なくとも１つのマッチング条件を識別することと、画像情報の要求をサーバに送信することであって、要求が少なくとも１つのマッチング条件を含む、送信することと、画像情報をサーバから受信することであって、画像情報が、ある衣料品目及び１つ又は複数のマッチする衣料品目の三次元画像情報を含む、受信することと、三次元画像情報及び事前設定されたテンプレートに基づいて１つ又は複数のアウトフィット画像を表示することとを含む。
2018530811.tif 000002
【特許請求の範囲】
【請求項１】
１つ又は複数のアウトフィットデザインを表示するためのユーザ要求をクライアント端末で受信することと、
前記アウトフィットデザインに関連する少なくとも１つのマッチング条件を識別することと、
画像情報の要求をサーバに送信することであって、前記要求が前記少なくとも１つのマッチング条件を含む、送信することと、
前記画像情報を前記サーバから受信することであって、前記画像情報が、ある衣料品目及び１つ又は複数のマッチする衣料品目の三次元画像情報を含む、受信することと、
前記三次元画像情報及び事前設定されたテンプレートに基づいて１つ又は複数のアウトフィット画像を表示することと
を含む画像処理方法。
【請求項２】
前記ユーザ要求がオンラインストアのホームページを介して受信され、前記少なくとも１つのマッチング条件が、前記アウトフィットデザインの各衣料品目が前記オンラインストアに属することを含む、請求項１に記載の方法。
【請求項３】
前記アウトフィットデザインに関連する１つ又は複数の特徴タグを識別することであって、前記ユーザ要求がファッションデパートメントのホームページを介して受信され、及び前記少なくとも１つのマッチング条件が、前記アウトフィットデザインのそれぞれが前記特徴タグに関連することを含む、識別することを更に含む、請求項１又は２に記載の方法。
【請求項４】
前記特徴タグがユーザの特性又は前記ユーザのデザイン嗜好に基づいて識別される、請求項３に記載の方法。
【請求項５】
前記特徴タグがユーザによって設定される、請求項３に記載の方法。
【請求項６】
前記アウトフィット画像における表示された衣料品目をロックするためのユーザインターフェースを提供することと、
前記ユーザインターフェースを介して、前記表示された衣料品目を選択するための入力を受信することと、
前記表示された衣料品目に対応する画像情報の別の要求を前記サーバに送信することと
を含む、請求項１〜５のいずれか一項に記載の方法。
【請求項７】
前記ユーザ要求が前記衣料品目の詳細情報ページを介して受信され、前記衣料品目がオンラインストアに属し、及び前記少なくとも１つのマッチング条件が、前記アウトフィットデザインにおける各衣料品目が前記オンラインストアに属することを含む、請求項１又は２に記載の方法。
【請求項８】
前記ユーザ要求が前記衣料品目を示す注文リストページ又はお気に入りリストページを介して受信され、前記少なくとも１つのマッチング条件が、前記衣料品目が前記アウトフィットデザインのそれぞれに含まれることを含む、請求項１又は２に記載の方法。
【請求項９】
ユーザの写真又は前記ユーザの身体測定データに基づいて、前記事前設定されたテンプレートの画像を生成することを更に含む、請求項１〜８のいずれか一項に記載の方法。
【請求項１０】
テンプレートの少なくとも１つの画像を表示することと、
テンプレートの前記少なくとも１つの画像上でユーザ入力を受信することと、
前記ユーザ入力に基づいて、前記事前設定されたテンプレートを決定することと
を更に含む、請求項１〜９のいずれか一項に記載の方法。
【請求項１１】
前記アウトフィット画像間で切り替わるユーザインターフェースを提供することと、
前記ユーザインターフェース上のユーザ入力に基づいて前記アウトフィット画像の１つを表示することと
を更に含む、請求項１〜１０のいずれか一項に記載の方法。
【請求項１２】
前記マッチする衣料品目の購入ウェブページへ向かうリンクを提供することと、
前記リンクのユーザ選択を受信すると、前記マッチする衣料品目の前記購入ウェブページを表示することと
を更に含む、請求項１〜１１のいずれか一項に記載の方法。
【請求項１３】
１つ又は複数のアウトフィットデザインを表示するためのユーザ要求を受信し、且つ前記アウトフィットデザインに関連する少なくとも１つのマッチング条件を識別する識別ユニットと、
画像情報の要求をサーバに送信する送信ユニットであって、前記要求が前記少なくとも１つのマッチング条件を含む、送信ユニットと、
前記画像情報を前記サーバから受信する受信ユニットであって、前記画像情報が、ある衣料品目及び１つ又は複数のマッチする衣料品目の三次元画像情報を含む、受信ユニットと、
前記三次元画像情報及び事前設定されたテンプレートに基づいて１つ又は複数のアウトフィット画像を生成する生成ユニットと
を含む画像処理機器。
【請求項１４】
前記識別ユニットが、
オンラインストアのホームページを介して前記ユーザ要求を受信する第１の要求受信サブユニットと、
前記少なくとも１つのマッチング条件が、前記アウトフィットデザインの各衣料品目が前記オンラインストアに属することを含むことを識別する第１の条件識別サブユニットと
を含む、請求項１３に記載の機器。
【請求項１５】
前記識別ユニットが、
ファッションデパートメントのホームページを介して前記ユーザ要求を受信し、且つ前記アウトフィットデザインに関連する１つ又は複数の特徴タグを識別する第２の要求受信サブユニットと、
前記少なくとも１つのマッチング条件が、前記アウトフィットデザインのそれぞれが前記特徴タグと関連することを含むことを識別する第２の要求識別サブユニットと
を含む、請求項１３又は１４に記載の機器。
【請求項１６】
前記第２の要求受信サブユニットが、ユーザの特性又は前記ユーザのデザイン嗜好に基づいて前記特徴タグを識別するように更に構成される、請求項１５に記載の機器。
【請求項１７】
前記第２の要求受信サブユニットが、ユーザ入力に基づいて前記特徴タグを設定するように更に構成される、請求項１５に記載の機器。
【請求項１８】
前記アウトフィット画像における表示された衣料品目をロックするためのユーザインターフェースを提供するロックユニットと、
前記ユーザインターフェース上のユーザ入力に応じて、前記表示された衣料品目に対応する画像情報の別の要求を前記サーバに送信する決定ユニットと
を更に含む、請求項１３〜１７のいずれか一項に記載の機器。
【請求項１９】
前記識別ユニットが、
前記衣料品目の詳細情報ページを介して前記ユーザ要求を受信する第３の要求受信サブユニットであって、前記衣料品目がオンラインストアに属する、第３の要求受信サブユニットと、
前記少なくとも１つのマッチング条件が、前記アウトフィットデザインにおける各衣料品目が前記オンラインストアに属することを含むことを識別する第３の条件識別サブユニットと
を含む、請求項１３〜１８のいずれか一項に記載の機器。
【請求項２０】
クライアント端末に画像処理方法を実行させるために前記クライアント端末の少なくとも１つのプロセッサによって実行可能な命令セットを格納する非一時的コンピュータ可読媒体であって、前記方法が、
１つ又は複数のアウトフィットデザインを表示するためのユーザ要求をクライアント端末で受信することと、
前記アウトフィットデザインに関連する少なくとも１つのマッチング条件を識別することと、
画像情報の要求をサーバに送信することであって、前記要求が前記少なくとも１つのマッチング条件を含む、送信することと、
前記画像情報を前記サーバから受信することであって、前記画像情報が、ある衣料品目及び１つ又は複数のマッチする衣料品目の三次元画像情報を含む、受信することと、
前記三次元画像情報及び事前設定されたテンプレートに基づいて１つ又は複数のアウトフィット画像を表示することと
を含む、非一時的コンピュータ可読媒体。
【発明の詳細な説明】
【技術分野】
【０００１】
関連出願の相互参照
本出願は、２０１５年８月６日出願の中国特許出願第２０１５１０４７８１６６．９号に基づき且つその優先権を主張するものであり、その出願の内容全体が参照により本明細書に援用される。
【０００２】
技術分野
本出願は、情報処理の技術分野に関し、特に画像処理方法及び機器に関する。
【背景技術】
【０００３】
背景
電子商取引プラットホームは、多くの種類の商品の販売を提供し、それらの間で衣料品は主要なカテゴリの１つである。「衣料品」という用語は、衣類、靴、帽子、靴下、手袋、スカーフ、ネクタイ、バッグ、傘、髪飾りなどの様々な個人的な品目を含む。日常生活において、衣料品目は、一般に、互いに一緒になってアウトフィット（outfit）を作る。電子商取引プラットホームで販売される衣料品目の種類は夥しい。電子商取引プラットホームを介して衣料品目を購入した購入者にとって、購入品目を個人的に見ることなく購入品目とマッチする他の衣料品目を選択することは困難であり得る。
【０００４】
従来、商品の詳細及び写真が、視覚的表現用の電子商取引プラットホームにおける製品説明ページで提供され得る。衣料品目について、品目を着用しているモデルの写真が、品目の合い具合及びデザインを示すために提供されることが多い。これらの写真は、通常、販売用に提供される個々の品目をターゲットにしている。モデルは、写真における販売用に提供されている品目とマッチする他の衣料品目を着用してもよいが、マッチする品目は、一般にユーザによるマニュアル検索を必要とするか、ネットワークプラットホームで販売用に提供されていない可能性があるか、又はユーザの嗜好を満たさない可能性がある。従って、従来の電子商取引プラットホームは、魅力的なアウトフィットを一緒に作る衣料品目を見つける際にユーザのニーズを満たさず、その結果、ネットワークプラットホームによって完了される取引を制限する。
【発明の概要】
【課題を解決するための手段】
【０００５】
概要
本開示は、画像処理方法を提供する。幾つかの実施形態と一致して、方法は、１つ又は複数のアウトフィットデザインを表示するためのユーザ要求をクライアント端末で受信することと、アウトフィットデザインに関連する少なくとも１つのマッチング条件を識別することと、画像情報の要求をサーバに送信することであって、要求が少なくとも１つのマッチング条件を含む、送信することと、画像情報をサーバから受信することであって、画像情報が、ある衣料品目及び１つ又は複数のマッチする衣料品目の三次元画像情報を含む、受信することと、三次元画像情報及び事前設定されたテンプレートに基づいて１つ又は複数のアウトフィット画像を表示することとを含む。
【０００６】
幾つかの実施形態と一致して、本開示は、別の画像処理方法を提供する。方法は、複数の衣料品目の三次元画像を格納するアウトフィットデータベースを確立することと、画像情報の要求をクライアント端末から受信することであって、要求が、画像情報に関連する少なくとも１つのマッチング条件を含む、受信することと、アウトフィットデータベース及び少なくとも１つのマッチング条件に基づいて１つ又は複数のアウトフィットデザインを識別することと、画像情報をクライアント端末に送信することであって、画像情報が、ある衣料品目及び１つ又は複数のマッチする衣料品目の１つ又は複数のアウトフィットデザイン及び三次元画像情報を含む、送信することとを含む。
【０００７】
幾つかの実施形態と一致して、本開示は、別の画像処理方法を提供する。方法は、１つ又は複数のアウトフィットデザインを表示するためのユーザ要求をクライアント端末で受信することと、アウトフィットデザインに関連する少なくとも１つのマッチング条件を識別することと、画像情報の要求をサーバに送信することであって、要求が少なくとも１つのマッチング条件を含む、送信することと、１つ又は複数のアウトフィット画像をサーバから受信することであって、アウトフィット画像が、テンプレートに従って生成された、ある衣料品目及び１つ又は複数のマッチする衣料品目を含む、受信することと、１つ又は複数のアウトフィット画像を表示することとを含む。
【０００８】
幾つかの実施形態と一致して、本開示は、別の画像処理方法を提供する。方法は、１つ又は複数のアウトフィットデザインを格納するアウトフィットデータベースを確立することであって、アウトフィットデザインのそれぞれがある衣料品目及び１つ又は複数のマッチする衣料品目を含む、確立することと、画像情報の要求をクライアント端末から受信することであって、要求が、画像情報に関連する少なくとも１つのマッチング条件を含む、受信することと、アウトフィットデータベース及び少なくとも１つのマッチング条件に基づいて１つ又は複数のアウトフィットデザインを識別することと、前記ある衣料品目の識別子及びマッチする衣料品目の識別子を画像処理サーバに送信することと、テンプレートに従って生成された前記ある衣料品目及びマッチする衣料品目を含む１つ又は複数のアウトフィット画像を画像処理サーバから受信することと、アウトフィットデザイン及びアウトフィット画像をクライアント端末に送信することとを含む。
【０００９】
幾つかの実施形態と一致して、本開示は、画像処理機器を提供する。機器は、１つ又は複数のアウトフィットを表示するためのユーザ要求を受信し、且つアウトフィットデザインに関連する少なくとも１つのマッチング条件を識別する識別ユニットと、画像情報の要求をサーバに送信する送信ユニットであって、要求が少なくとも１つのマッチング条件を含む、送信ユニットと、画像情報をサーバから受信する受信ユニットであって、画像情報が、ある衣料品目及び１つ又は複数のマッチする衣料品目の三次元画像情報を含む、受信ユニットと、三次元画像情報及び事前設定されたテンプレートに基づいて１つ又は複数のアウトフィット画像を生成する生成ユニットとを含む。
【００１０】
幾つかの実施形態と一致して、本開示は、画像処理機器を提供する。機器は、複数の衣料品目の三次元画像を格納するアウトフィットデータベースを確立する確立ユニットと、画像情報の要求をクライアント端末から受信する受信ユニットであって、要求が、画像情報に関連する少なくとも１つのマッチング条件を含む、受信ユニットと、アウトフィットデータベース及び少なくとも１つのマッチング条件に基づいて１つ又は複数のアウトフィットデザインを識別する識別ユニットと、画像情報をクライアント端末に送信する送信ユニットであって、画像情報が、ある衣料品目及び１つ又は複数のマッチする衣料品目の、１つ又は複数のアウトフィットデザイン及び三次元画像情報を含む、送信ユニットとを含む。
【００１１】
幾つかの実施形態と一致して、本開示は、別の画像処理機器を提供する。機器は、１つ又は複数のアウトフィットを表示するためのユーザ要求を受信し、且つアウトフィットデザインに関連する少なくとも１つのマッチング条件を識別する識別ユニットと、画像情報の要求をサーバに送信する送信ユニットであって、要求が少なくとも１つのマッチング条件を含む、送信ユニットと、サーバから受信された１つ又は複数のアウトフィット画像を表示する表示ユニットであって、アウトフィット画像が、テンプレートに従って生成された、ある衣料品目及び１つ又は複数のマッチする衣料品目を含む、表示ユニットとを含む。
【００１２】
幾つかの実施形態と一致して、本開示は、別の画像処理機器を提供する。機器は、１つ又は複数のアウトフィットデザインを格納するアウトフィットデータベースを確立する確立ユニットであって、アウトフィットデザインのそれぞれが、ある衣料品目及び１つ又は複数のマッチする衣料品目を含む、確立ユニットと、画像情報の要求をクライアント端末から受信する受信ユニットであって、要求が、画像情報に関連する少なくとも１つのマッチング条件を含む、受信ユニットと、アウトフィットデータベース及び少なくとも１つのマッチング条件に基づいて１つ又は複数のアウトフィットデザインを識別する識別ユニットと、前記ある衣料品目の識別子及びマッチする衣料品目の識別子を画像処理サーバに送信する送信ユニットと、画像情報をクライアント端末に提供する提供ユニットであって、画像情報がアウトフィットデザイン及び１つ又は複数のアウトフィット画像を含み、アウトフィット画像が、テンプレートに従って生成された前記ある衣料品目及びマッチする衣料品目を含む、提供ユニットとを含む。
【００１３】
幾つかの実施形態と一致して、本開示は、サーバに画像処理方法を実行させるためにサーバの少なくとも１つのプロセッサによって実行可能な命令セットを格納する非一時的コンピュータ可読媒体を提供する。方法は、複数の衣料品目の三次元画像を格納するアウトフィットデータベースを確立することと、画像情報の要求をクライアント端末から受信することであって、要求が、画像情報に関連する少なくとも１つのマッチング条件を含む、受信することと、アウトフィットデータベース及び少なくとも１つのマッチング条件に基づいて１つ又は複数のアウトフィットデザインを識別することと、画像情報をクライアント端末に送信することであって、画像情報が、ある衣料品目及び１つ又は複数のマッチする衣料品目の、１つ又は複数のアウトフィットデザイン及び三次元画像情報を含む、送信することとを含む。
【００１４】
幾つかの実施形態と一致して、本開示は、サーバに画像処理方法を実行させるためにサーバの少なくとも１つのプロセッサによって実行可能な命令セットを格納する別の非一時的コンピュータ可読媒体を提供する。方法は、１つ又は複数のアウトフィットデザインを格納するアウトフィットデータベースを確立することであって、アウトフィットデザインのそれぞれが、ある衣料品目及び１つ又は複数のマッチする衣料品目を含む、確立することと、画像情報の要求をクライアント端末から受信することであって、要求が、画像情報に関連する少なくとも１つのマッチング条件を含む、受信することと、アウトフィットデータベース及び少なくとも１つのマッチング条件に基づいて１つ又は複数のアウトフィットデザインを識別することと、前記ある衣料品目の識別子及びマッチする衣料品目の識別子を画像処理サーバに送信することと、テンプレートに従って生成された前記ある衣料品目及びマッチする衣料品目を含む１つ又は複数のアウトフィット画像を画像処理サーバから受信することと、アウトフィットデザイン及びアウトフィット画像をクライアント端末に送信することとを含む。
【００１５】
開示される実施形態の追加の目的及び利点は、一部には以下の説明で明記され、且つ一部には説明から明白になるか又は実施形態の実行によって学習され得る。開示される実施形態の目的及び利点は、特許請求の範囲で明記される要素及び組み合わせによって実現及び達成され得る。
【００１６】
前述の概要及び以下の詳細な説明の両方は、例示的であり、単に説明であり、特許請求される開示される実施形態を限定するものではないことが理解される。
【００１７】
添付の図面は、本明細書に援用され、その一部を構成するが、本発明と一致する実施形態を示し、且つ説明と一緒に本発明の原理を説明する役割を果たす。
【図面の簡単な説明】
【００１８】
【図１】本開示と一致する例示的な画像処理方法のフローチャートである。
【図２−１】本開示の幾つかの実施形態と一致する、アウトフィット画像を提供するためのユーザインターフェースを示す概略図である。
【図２−２】本開示の幾つかの実施形態と一致する、アウトフィット画像を提供するためのユーザインターフェースを示す概略図である。
【図２−３】本開示の幾つかの実施形態と一致する、アウトフィット画像を提供するためのユーザインターフェースを示す概略図である。
【図２−４】本開示の幾つかの実施形態と一致する、アウトフィット画像を提供するためのユーザインターフェースを示す概略図である。
【図２−５】本開示の幾つかの実施形態と一致する、アウトフィット画像を提供するためのユーザインターフェースを示す概略図である。
【図２−６】本開示の幾つかの実施形態と一致する、アウトフィット画像を提供するためのユーザインターフェースを示す概略図である。
【図３】本開示の幾つかの実施形態と一致する例示的な画像処理方法のフローチャートである。
【図４】本開示の幾つかの実施形態と一致する例示的な画像処理方法のフローチャートである。
【図５】本開示の幾つかの実施形態と一致する例示的な画像処理方法のフローチャートである。
【図６】本開示の幾つかの実施形態と一致する例示的な画像処理機器のブロック図である。
【図７】本開示の幾つかの実施形態と一致する別の例示的な画像処理機器のブロック図である。
【図８】本開示の幾つかの実施形態と一致する別の例示的な画像処理機器のブロック図である。
【図９】本開示の幾つかの実施形態と一致する別の例示的な画像処理機器のブロック図である。
【発明を実施するための形態】
【００１９】
実施形態の説明
ここで、例示的な実施形態が詳細に参照され、それらの実施形態の例は、添付の図面に示されている。以下の説明は、添付の図面を参照し、異なる図面における同じ番号は、別段の指示がなければ、同じ又は同様の要素を表す。例示的な実施形態の以下の説明で明らかにされる実装形態は、本発明と一致する全ての実装形態を表すわけではない。むしろ、それらは、添付の特許請求の範囲において列挙されるような本発明に関係する態様と一致する機器及び方法の単なる例である。
【００２０】
本開示の幾つかの実施形態と一致して、１つ又は複数のアウトフィットデザインを格納するアウトフィットデータベースがサーバに含まれてもよい。各アウトフィットデザインは、ユーザによって一緒に着用され得る衣料品目セットを含んでもよい。ユーザによって選択された衣料品目に加えて、アウトフィットデザイン及びデザインを示す画像は、ユーザに提示され、それにより衣料品目の買い物をしている際のユーザ体験を改善し得る。
【００２１】
表１は、本開示の幾つかの実施形態と一致する例示的なアウトフィットデータベースを示す。表１に示されているように、各衣料品目は、１つ又は複数のマッチする品目に対応する。
【００２２】
【表１】
2018530811.tif 000003
【００２３】
幾つかの実装形態において、マッチ度は、マッチする衣料品目の各ペアについてアウトフィットデータベースに格納されてもよい。例えば、表１の第１の列における各衣料品目について、第２の列でリストされたマッチする衣料品目は、対応するマッチ度に従う順序で提供されてもよい。
【００２４】
表２は、本開示の幾つかの実施形態と一致する別の例示的なアウトフィットデータベースを示す。表２に示されているように、マッチする衣料品目の各ペア間のマッチ度が提供される。
【００２５】
【表２】
2018530811.tif 000004
【００２６】
アウトフィットデータベースは、個人の体験に基づいて開発者により、又は衣料品目に関係するデータを収集及び解析するデータマイニング方法により生成されてもよい。例えば、収集されるデータは、衣料品目の色、テクスチャ、スタイル、ファッション要素、価格などを含んでもよい。ユーザの購入履歴、お気に入りのコレクション、閲覧履歴など、ユーザによって作られた以前の行動記録も収集され得る。別の例として、品目のデザイナによって提供されるデザイン情報又はインターネットにおけるアウトフィット画像も、アウトフィットデータベースにアウトフィットデザインを作成するために収集され得る。
【００２７】
幾つかの実施形態において、特徴タグが、マッチする衣料品目の各ペアについて生成されてもよい。例えば、特徴タグは、以下：アウトフィットスタイル（フォーマル、カジュアル等）、価格、適切な行事（仕事、パーティ、野外活動等）、顧客グループ（例えば、異なる年代のグループ）などの１つ又は複数を説明してもよい。例えば、特徴タグは、各品目の特徴に従って専門家によって追加されてもよい。別の例として、特徴タグは、アウトフィットデザインがユーザに提供された後にユーザによって追加されてもよく、サーバは、アウトフィットデータベースに特徴タグを格納してもよい。
【００２８】
幾つかの実施形態において、アウトフィットデザインにおける各品目に対応する商人識別子は、ユーザが商人に基づいてアウトフィットデザインをフィルタリングし得るように、アウトフィットデータベースに格納されてもよい。幾つかの実装形態において、アウトフィットデータベースは、各商人について確立されてもよく、その場合、アウトフィットデザインにおける各品目は、同じ商人によって提供される。
【００２９】
幾つかの実施形態において、各マッチする衣料品目のカテゴリ情報は、ユーザが衣料品カテゴリに基づいてマッチする品目を選択し得るように、アウトフィットデータベースに格納されてもよい。例えば、カテゴリのリストがユーザに提供されてもよく、ユーザは、マッチする衣料品目の表示のために１つ又は複数のカテゴリを選択してもよい。
【００３０】
表３は、本開示の幾つかの実施形態と一致する別の例示的なアウトフィットデータベースを示す。表３に示されているように、品目の特徴タグ、商人情報、及びカテゴリ情報は、アウトフィットデータベースにおいて提供される。
【００３１】
【表３】
2018530811.tif 000005
【００３２】
アウトフィットデータベースに基づいて、アウトフィットデザインがユーザに提供されてもよい。その後、提供されたアウトフィットデザインに関するユーザ行動が監視され得、アウトフィットデータベースにおけるマッチ度は、ユーザ行動に基づいて修正されてもよい。例えば、アウトフィットデザインがユーザに提供された後、ユーザが、マッチする品目を購入するか又はアウトフィットデザインをユーザのお気に入りリストに追加した場合、アウトフィットデザインが一度効果的に用いられたと判定されてもよい。別の例として、ユーザは、アウトフィットデザインの１つ又は複数を他のユーザと共有してもよく、共有されたアウトフィットデザインに関して他のユーザによって実行される行動も監視され得る。ユーザがユーザＡとアウトフィットデザインを共有し、且つユーザＡがアウトフィットデザインを自らのお気に入りに追加するか又はアウトフィットデザインにおける品目を購入した場合、アウトフィットデザインが一度効果的に用いられたと判定されてもよい。アウトフィットデザインに関するユーザ行動に基づき、それに応じてアウトフィットデータベースにおけるマッチ度が調整されてもよい。
【００３３】
図１は、本開示の幾つかの実施形態と一致する例示的な画像処理方法１００のフローチャートである。例示的な方法１００は、クライアント端末によって実行されてもよい。図１を参照すると、方法１００は以下のステップを含む。
【００３４】
ステップＳ１０１において、クライアント端末は、１つ又は複数のアウトフィットデザインを表示するためのユーザ要求を受信し、且つアウトフィットデザインに関連する少なくとも１つのマッチング条件を識別する。
【００３５】
クライアント端末は、ユーザが「試着室」機能に入るための１つ又は複数のインターフェースを提供してもよい。例えば、試着室機能に入るためのインターフェースは、衣料品目の詳細情報を提供するウェブページに含まれてもよい。別の例として、試着室機能に入るためのインターフェースは、オンラインストアのホームページに含まれてもよい。別の例として、試着室機能に入るためのインターフェースは、特定の商人又は品目を最初に選択するようにユーザに要求することなく、ファッションデパートメントのホームページに含まれてもよい。別の例として、試着室機能に入るためのインターフェースは、ユーザのお気に入りリストを示すウェブページに含まれてもよい。なぜなら、お気に入りリスト上の品目が依然としてユーザによって購入されていない１つの理由は、ユーザが、アウトフィットとしてその品目と一緒に着用できる他の衣料品目を見つけていないことであり得るからである。別の例として、試着室機能に入るためのインターフェースは、ユーザの以前の注文のリストを示すウェブページに含まれてもよい。なぜなら、ユーザは、以前に購入した品目とマッチする品目を購買する必要があり得るからである。
【００３６】
クライアント端末は、要求を受信するインターフェースに基づいて、アウトフィットデザインに関連する少なくとも１つのマッチング条件を識別してもよい。例えば、ユーザ要求がオンラインストアのホームページで受信される場合、クライアント端末は、アウトフィットデザインがストアから取得されるべきであると内部的に決定し、且つアウトフィットデザインの各衣料品目がストアに属することとしてマッチング条件を識別してもよい。それに応じて、サーバは、アウトフィットデザインの各品目における商人情報を識別してもよい。アウトフィットデザインの各品目が、ユーザ要求が受信されたのと同じストアに属する場合、アウトフィットデザインがマッチング条件を満たすと判定されてもよい。
【００３７】
幾つかの実施形態において、要求がファッションデパートメントのホームページで受信される場合、クライアント端末は、ユーザ特性、嗜好、ユーザによって以前に追加された特徴タグなどに基づいて所望のアウトフィットデザインの特徴タグを識別してもよい。アウトフィットデザインのマッチング条件は、アウトフィットデザインのそれぞれが特徴タグと関連付けられることであってもよい。アウトフィットデザインが特徴タグと関連付けられる場合、アウトフィットデザインが条件を満たすと判定されてもよい。
【００３８】
幾つかの実施形態において、要求がある衣料品目の詳細情報ページで受信される場合、クライアント端末は、アウトフィットデザインにおける各衣料品目が前記ある衣料品目と同じストアに属することとしてマッチング条件を識別してもよい。
【００３９】
幾つかの実施形態において、要求が、ある衣料品目を示すユーザのお気に入りリスト又は注文リストページで受信される場合、クライアント端末は、前記ある衣料品目がアウトフィットデザインのそれぞれに含まれることとしてマッチング条件を識別してもよい。
【００４０】
ステップＳ１０２において、クライアント端末は、画像情報の要求をサーバに送信し、要求は、少なくとも１つのマッチング条件を含む。サーバは、マッチング条件を満たすアウトフィットデータベースにおけるアウトフィットデザインを識別してもよく、アウトフィットデータベースは、１つ又は複数のアウトフィットデザインを含み、各アウトフィットデザインは、互いにマッチする衣料品目セットを含む。
【００４１】
クライアント端末によって送信された要求を受信した後、サーバは、マッチング条件を満たすアウトフィットデザインをアウトフィットデータベースから取得し、且つクライアント端末にアウトフィットデザインを送信してもよい。例えば、マッチング条件は、品目Ａがアウトフィットデザインに含まれることとして識別されてもよい。それに応じて、サーバは、マッチング条件を満たす品目１、２及び３を識別し、且つ品目１、２及び３の情報をクライアント端末に送信してもよい。
【００４２】
同じ衣料品目を選択するユーザは、スタイル、ブランド等において異なる嗜好を有する可能性があると思われる。例えば、単純なスタイルを好むユーザもいれば、レトロ調が好みであり且つ特定のブランドを好むユーザもいる可能性がある。異なるユーザの購買力も異なる可能性があり、ユーザが属するグループは、同様にアウトフィットデザインのユーザ選択に影響する。ユーザの個人的な情報がアウトフィットデザインを提供する際に考慮されてもよい。例えば、衣料品目と、マッチする品目との間のマッチ度は、ユーザの個人的な情報に基づいて決定されてもよく、アウトフィットデザインは、マッチ度に基づいてフィルタリング及び／又は再整理されてもよい。
【００４３】
ステップＳ１０３において、クライアント端末は、サーバによって送信された画像情報を受信し、画像情報は、ある衣料品目及び１つ又は複数のマッチする衣料品目の三次元画像情報を含む。
【００４４】
ステップＳ１０４において、クライアント端末は、三次元画像情報及び事前設定されたテンプレートに基づいて表示用の１つ又は複数のアウトフィット画像を生成する。例えば、事前設定されたテンプレートは、事前設定されたマネキンを含んでもよい。
【００４５】
幾つかの実施形態において、サーバは、各衣料品目の三次元画像を格納してもよく、クライアント端末はまた、アプリケーションをインストールすることによって画像処理の機能を実行できてもよい。例えば、サーバは、衣料品目の三次元画像をクライアント端末に送信してもよく、クライアント端末は、三次元画像及び事前設定されたテンプレートに基づいて提示写真を生成してもよい。
【００４６】
例えば、衣料品目を提供する商人は、クライアント端末が、事前設定されたテンプレートにおける衣料品目の効果をシミュレートする画像を生成し得るように、三次元画像を取得するためにこれらの品目を撮影してもよい。サーバはまた、アップロードされた画像のフォーマット及びサイズを制限し、且つ画像における正規化及び／又は強調処理を実行してもよい。衣料品目はまた、当該サーバに関連する専門家によって撮影されてもよく、サンプルは、写真用に当該サーバに関連する設備に送信されてもよい。
【００４７】
幾つかの実施形態において、クライアント端末は、テンプレートを設定するためにユーザの写真及び／又は身体測定データを使用してもよい。クライアント端末はまた、アウトフィット画像を提示する事前設定されたテンプレートとしてユーザが選択するためのテンプレート画像を提供してもよい。
【００４８】
幾つかの実施形態において、クライアント端末は、サーバが複数のアウトフィットデザインをクライアント端末に送信する場合、複数のアウトフィット画像間で切り替わるユーザインターフェースを提供してもよい。例えば、クライアント端末は、ユーザから切り替え要求を受信すると、別のアウトフィット画像を表示してもよい。クライアント端末はまた、アウトフィット画像における品目を購入するためのウェブページへユーザが向かうためのリンクを提供してもよい。
【００４９】
図２−１〜２−６は、本開示の幾つかの実施形態と一致する、アウトフィット画像を提供するためのユーザインターフェースを示す概略図２００ａ〜２００ｅである。例えば、ユーザがオンラインストアのホームページを介して試着室機能に入る場合、クライアント端末は、ストアのアウトフィットデザインを含むアウトフィット画像を表示してもよい。図２−１に示されているように、ユーザインターフェースは、テンプレートに従って生成された衣料品目セットのアウトフィット画像（例えば、マネキンに着用された衣料品目）を表示し、且つ他のアウトフィット画像に切り替わるためのインターフェースを提供する。例えば、アウトフィット画像は、ユーザが画像上でスライド操作を実行することによって切り替えられてもよく、スライド操作が実行されている間にマネキン上の衣料品目が変更されてもよい。ユーザが、表示された衣料品目をロックすると、サーバは、その品目のためのアウトフィットデザインを提供してもよく、クライアント端末は、スライドインターフェースを介して品目の複数のアウトフィット画像を提供してもよい。図２−２に示されているように、マネキン上のスカートはユーザによって選択され、ユーザは、ユーザインターフェースを介してスライド操作を実行することにより、異なるマッチする品目を備えたアウトフィット画像を検討してもよい。図２−３は、ユーザが右側へのスライド操作を実行する場合のユーザインターフェースを示し、その結果、別のアウトフィット画像が表示される。図２−３に示されているように、ユーザによってロックされたスカートはマネキン上で変更されないままであり、マッチする衣料品目は変更されている。図２−１〜２−３に示されているように、アウトフィット画像上の品目の詳細情報をユーザが検討するために、衣料品目のそれぞれへのリンクがユーザインターフェース（例えば、ユーザインターフェースの底部）に提示される。
【００５０】
幾つかの実施形態において、ユーザインターフェースはまた、サーバによって提供されるマッチする衣料品目のカテゴリ情報を表示してもよい。図２−４は、衣料品目のカテゴリ情報を表示するユーザインターフェースを示す。
【００５１】
幾つかの実施形態において、ユーザインターフェースは、ユーザが、表示されたアウトフィット画像をお気に入りリストに追加するための選択肢を提供してもよい。クライアント端末は、ユーザインターフェースを介してユーザの要求を受信すると、選択されたアウトフィット画像をお気に入りリストに追加してもよい。図２−５は、ユーザによって追加されたお気に入りのアウトフィット画像を表示するユーザインターフェースを示す。ユーザインターフェースはまた、例えばユーザが画像をプレスアンドホールドすることにより、ユーザがお気に入りリストにおけるアウトフィット画像を削除するための選択肢を提供してもよい。図２−６は、ユーザによってお気に入りのアウトフィット画像を削除するためのユーザインターフェースを示す。図２−６に示されているように、上部の右位置における強調された画像は、ユーザによってお気に入りから削除されている。
【００５２】
幾つかの実施形態において、ユーザインターフェースは、ユーザが他のユーザとアウトフィット画像を共有するための選択肢を提供してもよい。アウトフィット画像を共有する要求を受信すると、クライアント端末は、ユーザの友人、サーバによってランダムに選択されたユーザなどの他のユーザにアウトフィット画像の情報を送信してもよい。サーバは、対応するアウトフィットデザインの統計的利用を取得するために、共有のアウトフィット画像を受信するユーザの操作を監視してもよい。
【００５３】
図３は、本開示の幾つかの実施形態と一致する別の例示的な画像処理方法３００のフローチャートである。例示的な方法３００は、サーバによって実行されてもよい。図３を参照すると、方法３００は以下のステップを含む。
【００５４】
ステップＳ３０１において、サーバは、衣料品目の三次元画像を格納するアウトフィットデータベースを確立する。データベースは、各衣料品目のための少なくとも１つのアウトフィットデザインを含み、各アウトフィットデザインは、ある衣料品目及び１つ又は複数のマッチする衣料品目を含む。
【００５５】
ステップＳ３０２において、サーバは、クライアント端末から画像情報の要求を受信し、要求は、画像情報の少なくとも１つのマッチング条件を含む。
【００５６】
ステップＳ３０３において、サーバは、マッチング条件を満たす１つ又は複数のアウトフィットデザインをアウトフィットデータベースから識別する。
【００５７】
ステップＳ３０４において、サーバは、画像情報をクライアント端末に送信し、画像情報は、ある衣料品目及び１つ又は複数のマッチする衣料品目のアウトフィットデザイン及び三次元画像情報を含む。クライアント端末は、受信画像情報及び事前設定されたテンプレート（例えば、クライアント端末のユーザを表し得る事前設定されたアバター又はマネキン）に基づいて表示用のアウトフィット画像を生成してもよい。
【００５８】
幾つかの実施形態において、画像処理サーバは、アウトフィット画像を生成するために画像処理を実行してもよい。例えば、画像処理サーバは、電子商取引プラットホームにおける専用サーバであってよく、又は第三者サーバであってもよい。画像処理サーバはまた、衣料品目の三次元画像に対して正規化及び強調技法を実行してもよい。幾つかの実施形態において、画像処理サーバに関連する専門家は、例えば対応する商人から衣料品目サンプルを取得することにより、三次元画像を得るために衣料品目を撮影してもよい。
【００５９】
幾つかの実施形態において、画像処理サーバは、ある衣料品目の識別子と三次元画像との間の対応関係を格納してもよい。例えば、画像情報の要求を受信する電子商取引サーバは、アウトフィット画像を生成するための画像処理サーバへアウトフィットデザインにおける衣料品目の識別子を送信してもよい。次に、画像処理サーバは、識別子に基づいて衣料品目の三次元画像を取得し、事前設定されたテンプレートを用いてアウトフィット画像を生成し、且つ電子商取引サーバが表示用のアウトフィット画像をクライアント端末に送信し得るように、アウトフィット画像を電子商取引サーバに送信してもよい。
【００６０】
図４は、本開示の幾つかの実施形態と一致する別の例示的な画像処理方法４００のフローチャートである。例示的な方法４００は、クライアント端末によって実行されてもよい。図４を参照すると、方法４００は以下のステップを含む。
【００６１】
ステップＳ４０１において、クライアント端末は、１つ又は複数のアウトフィットデザインを表示するためのユーザ要求を受信し、且つアウトフィットデザインに関連する少なくとも１つのマッチング条件を識別する。
【００６２】
ステップＳ４０２において、クライアント端末は、画像情報の要求をサーバに送信し、要求は、少なくとも１つのマッチング条件を含む。サーバは、マッチング条件を満たすアウトフィットデザインを識別し、且つ対応する衣料品目の識別子を画像処理サーバに送信してもよい。次に、画像処理サーバは、識別子に基づいて画像データベースにおける衣料品目の三次元画像を取得し、三次元画像及び事前設定されたテンプレートに基づいてアウトフィット画像を生成し、且つアウトフィット画像をサーバに送信してもよい。画像データベースは、１つ又は複数のアウトフィットデザインを格納してもよく、アウトフィットデザインのそれぞれは、ある衣料品目及び少なくとも１つのマッチする衣料品目を含む。
【００６３】
ステップＳ４０３において、クライアント端末は、サーバから受信された画像情報に基づいて１つ又は複数のアウトフィット画像をユーザに表示する。
【００６４】
図５は、本開示の幾つかの実施形態と一致する別の例示的な画像処理方法５００のフローチャートである。例示的な方法５００は、サーバによって実行されてもよい。図５を参照すると、方法５００は以下のステップを含む。
【００６５】
ステップＳ５０１において、サーバは、１つ又は複数のアウトフィットデザインを格納するアウトフィットデータベースを確立し、アウトフィットデザインのそれぞれは、ある衣料品目及び１つ又は複数のマッチする衣料品目を含む。
【００６６】
ステップＳ５０２において、サーバは、クライアント端末から画像情報の要求を受信し、要求は、画像情報の少なくとも１つのマッチング条件を含む。
【００６７】
ステップＳ５０３において、サーバは、マッチング条件を満たす１つ又は複数のアウトフィットデザインをアウトフィットデータベースから識別する。
【００６８】
ステップＳ５０４において、サーバは、アウトフィットデザインにおける衣料品目の識別子を画像処理サーバに送信する。続いて、画像処理サーバは、識別子に基づいて画像データベースにおける衣料品目の三次元画像を取得し、三次元画像及び事前設定されたテンプレートに基づいてアウトフィット画像を生成し、且つアウトフィット画像をサーバに送信してもよい。例えば、事前設定されたテンプレートは、事前設定されたアバター又はマネキンを含んでもよい。
【００６９】
ステップＳ５０５において、サーバは、表示用のアウトフィットデザイン及びアウトフィット画像をクライアント端末に送信する。
【００７０】
図６は、本開示の幾つかの実施形態と一致する例示的な画像処理機器６００のブロック図である。例示的な機器６００は、クライアント端末の一部又は全てとして実現されてもよい。図６を参照すると、機器６００は、識別ユニット６０１、送信ユニット６０２、受信ユニット６０３、及び生成ユニット６０４を含む。
【００７１】
識別ユニット６０１は、１つ又は複数のアウトフィットデザインを表示するためのユーザ要求を受信するように、且つアウトフィットデザインに関連する少なくとも１つのマッチング条件を識別するように構成される。
【００７２】
送信ユニット６０２は、画像情報の要求をサーバに送信するように構成され、要求は、アウトフィットデザインに関連するマッチング条件を含む。サーバは、事前設定されたアウトフィットデータベースにおいて、マッチング条件を満たすアウトフィットデザインを識別してもよく、アウトフィットデータベースは、１つ又は複数のアウトフィットデザインを含み、各アウトフィットデザインは、ある衣料品目及び１つ又は複数のマッチする衣料品目を含む。
【００７３】
受信ユニット６０３は、サーバによって送信された画像情報を受信するように構成され、画像情報は、ある衣料品目及び１つ又は複数のマッチする衣料品目の三次元画像情報を含む。
【００７４】
生成ユニット６０４は、三次元画像情報及び事前設定されたテンプレートに基づいて表示用の１つ又は複数のアウトフィット画像を生成するように構成される。
【００７５】
幾つかの実施形態において、識別ユニット６０１は、第１の要求受信サブユニット及び第１の条件識別サブユニットを含んでもよい。第１の要求受信サブユニットは、オンラインストアのホームページを介してユーザ要求を受信するように構成される。第１の条件識別サブユニットは、アウトフィットデザインの各衣料品目が、ストアに属することとしてマッチング条件を識別するように構成される。それに応じて、サーバは、アウトフィットデザインの各品目における商人情報を識別してもよい。アウトフィットデザインの各品目が、要求が受信されるのと同じストアに属する場合、サーバは、アウトフィットデザインが条件を満たすと判定してもよい。
【００７６】
幾つかの実施形態において、識別ユニット６０１は、第２の要求受信サブユニット及び第２の条件識別サブユニットを含んでもよい。第２の要求受信サブユニットは、ファッションデパートメントのホームページを介してユーザ要求を受信し、且つアウトフィットデザインに関連するスタイル、値幅、行事及び／又はグループを説明するアウトフィットデザインの１つ又は複数の特徴タグを識別するように構成される。例えば、第２の要求受信サブユニットは、ユーザ特性及び／又はアウトフィットデザインにおけるユーザの嗜好に基づいて特徴タグを識別するように構成されてもよい。別の例として、第２の要求受信サブユニットは、ユーザによって指示された事前設定された機能タグに基づいて特徴タグを識別するように構成されてもよい。第２の条件識別サブユニットは、アウトフィットデザインのそれぞれが特徴タグと関連付けられることとしてマッチング条件を識別するように構成される。それに応じて、サーバは、アウトフィットデザインが特徴タグと関連する場合、アウトフィットデザインが条件を満たすと判定してもよい。
【００７７】
幾つかの実施形態において、識別ユニット６０１は、第３の要求受信サブユニット及び第３の条件識別サブユニットを含んでもよい。第３の要求受信サブユニットは、ある衣料品目の詳細情報ページを介してユーザ要求を受信するように構成される。第３の条件識別サブユニットは、アウトフィットデザインにおける各衣料品目が、前記ある衣料品目と同じストアに属することとしてマッチング条件を識別するように構成される。それに応じて、サーバは、前記ある衣料品目と同じストアからのマッチする品目を含むアウトフィットデザインを識別してもよい。
【００７８】
幾つかの実施形態において、識別ユニット６０１は、第４の要求受信サブユニット及び第４の条件識別サブユニットを含んでもよい。第４の要求受信サブユニットは、ある衣料品目を示すユーザのお気に入りリスト又は注文リストのウェブページを介してユーザ要求を受信するように構成される。第４の条件識別サブユニットは、前記ある衣料品目がアウトフィットデザインのそれぞれに含まれることとしてマッチング条件を識別するように構成される。それに応じて、サーバは、前記ある衣料品目を含むアウトフィットデザインを識別してもよい。
【００７９】
幾つかの実施形態において、機器６００は、ロックユニット及び決定ユニットを更に含んでもよい。ロックユニットは、アウトフィット画像における表示された衣料品目をロックするユーザインターフェースを提供するように構成される。決定ユニットは、表示された衣料品目がユーザ入力によってロックされた場合、表示された衣料品目に対応する画像情報の別の要求をサーバに送信するように構成される。それに応じて、サーバは、ロックされた衣料品目を含むアウトフィットデザインを識別してもよい。
【００８０】
幾つかの実施形態において、機器６００は、ユーザの写真及び／又は身体測定データに基づいて、事前設定されたテンプレートを生成するように構成されたテンプレート生成ユニットを更に含んでもよい。
【００８１】
幾つかの実施形態において、機器６００は、画像提示ユニット及びテンプレート決定ユニットを更に含んでもよい。画像提示ユニットは、事前設定されたテンプレートとしてユーザが選択するテンプレートの１つ又は複数の画像を表示するように構成される。テンプレート決定ユニットは、ユーザの選択に基づいて、事前設定されたテンプレートを決定するように構成される。
【００８２】
幾つかの実施形態において、機器６００は、入力受信ユニット及び画像切り替えユニットを更に含んでもよい。入力受信ユニットは、複数のアウトフィットデザインがサーバから受信される場合、アウトフィット画像間で切り替えるユーザ入力を受信するように構成される。画像切り替えユニットは、受信されたユーザ入力に基づいて別のアウトフィット画像を提示するように構成される。
【００８３】
幾つかの実施形態において、機器６００は、アウトフィット画像に示されたマッチする衣料品目を購入するためのウェブページへ向かうリンクを提供するように構成されたリンク提供ユニットを更に含んでもよい。ユーザは、提供されたリンクを選択することにより、衣料品目を購入するためにウェブページに向かってもよい。
【００８４】
図７は、本開示の幾つかの実施形態と一致する例示的な画像処理機器７００のブロック図である。例示的な機器７００は、サーバの一部又は全てとして実現されてもよい。図７を参照すると、機器７００は、確立ユニット７０１、受信ユニット７０２、識別ユニット７０３、及び送信ユニット７０４を含む。
【００８５】
確立ユニット７０１は、衣料品目の三次元画像を格納するアウトフィットデータベースを確立するように構成される。アウトフィットデータベースは、各衣料品目のための少なくとも１つのアウトフィットデザインを含み、各アウトフィットデザインは、ある衣料品目及び１つ又は複数のマッチする衣料品目を含む。
【００８６】
受信ユニット７０２は、画像情報の要求をクライアント端末から受信するように構成され、要求は、要求された画像情報の少なくとも１つのマッチング条件を含む。
【００８７】
識別ユニット７０３は、マッチング条件を満たす１つ又は複数のアウトフィットデザインをアウトフィットデータベースから識別するように構成される。
【００８８】
送信ユニット７０４は、画像情報をクライアント端末に送信するように構成され、画像情報は、ある衣料品目及び１つ又は複数のマッチする衣料品目の１つ又は複数のアウトフィットデザイン及び三次元画像情報を含む。クライアント端末は、受信画像情報及び事前設定されたテンプレートに基づいて表示用のアウトフィット画像を生成してもよい。
【００８９】
図８は、本開示の幾つかの実施形態と一致する例示的な画像処理機器８００のブロック図である。例示的な機器８００は、クライアント端末の一部又は全てとして実現されてもよい。図８を参照すると、機器８００は、受信ユニット８０１、送信ユニット８０２、及び表示ユニット８０３を含む。
【００９０】
受信ユニット８０１は、１つ又は複数のアウトフィットデザインを表示するためのユーザ要求を受信し、且つアウトフィットデザインに関連する少なくとも１つのマッチング条件を識別するように構成される。
【００９１】
送信ユニット８０２は、画像情報の要求をサーバに送信するように構成され、要求は、マッチング条件を含む。サーバは、マッチング条件を満たすアウトフィットデザインを識別し、且つ対応する衣料品目の識別子を画像処理サーバに送信してもよい。次に、画像処理サーバは、識別子に基づいて画像データベースにおける衣料品目の三次元画像を取得し、三次元画像及び事前設定されたテンプレートに基づいてアウトフィット画像を生成し、且つアウトフィット画像をサーバに送信してもよい。画像データベースは、１つ又は複数のアウトフィットデザインを格納してもよく、アウトフィットデザインのそれぞれは、衣料品目及び１つ又は複数のマッチする衣料品目を含む。
【００９２】
表示ユニット８０３は、アウトフィット画像をユーザに表示するように構成され、アウトフィット画像のそれぞれは、事前設定されたテンプレート上で着用された衣料品目及び１つ又は複数のマッチする衣料品目を含む。
【００９３】
図９は、本開示の幾つかの実施形態と一致する例示的な画像処理機器９００のブロック図である。例示的な機器９００は、サーバの一部又は全てとして実現されてもよい。図９を参照すると、機器９００は、確立ユニット９０１、受信ユニット９０２、識別ユニット９０３、送信ユニット９０４、及び提供ユニット９０５を含む。
【００９４】
確立ユニット９０１は、１つ又は複数のアウトフィットデザインを格納するアウトフィットデータベースを確立するように構成され、アウトフィットデザインのそれぞれは、ある衣料品目及び少なくとも１つのマッチする衣料品目を含む。
【００９５】
受信ユニット９０２は、画像情報の要求をクライアント端末から受信するように構成され、要求は、画像情報の少なくとも１つのマッチング条件を含む。
【００９６】
識別ユニット９０３は、マッチング条件を満たす１つ又は複数のアウトフィットデザインをアウトフィットデータベースから識別するように構成される。
【００９７】
送信ユニット９０４は、アウトフィットデザインにおける衣料品目の識別子を画像処理サーバに送信するように構成される。続いて、画像処理サーバは、識別子に基づいて画像データベースにおける衣料品目の三次元画像を取得し、三次元画像及び事前設定されたテンプレートに基づいてアウトフィット画像を生成し、且つアウトフィット画像をサーバに送信してもよい。
【００９８】
提供ユニット９０５は、表示用の画像情報をクライアント端末に送信するように構成され、画像情報は、アウトフィットデザイン及びアウトフィット画像を含む。
【００９９】
上記の実施形態は、アウトフィットデザインを提供し、且つアウトフィット画像をユーザに表示して、ユーザが様々なアウトフィットデザインの効果を知覚できるようにする。その際、ユーザは、厄介な操作を実行せずに、マッチする衣料品目の情報を便利に検討し得る。サーバのトラフィック負荷も、単純化されたユーザ操作の資源節約によって低減され得る。
【０１００】
例示的な実施形態において、命令を含む非一時的コンピュータ可読記憶媒体も提供され、命令は、上記の方法を実行するために装置（端末装置、サーバ、パーソナルコンピュータなど）によって実行されてもよい。例えば、非一時的コンピュータ可読記憶媒体は、ＲＯＭ、ＲＡＭ、ＣＤ−ＲＯＭ、磁気テープ、フラッシュメモリ、キャッシュ、レジスタ、フロッピーディスク、光データ記憶装置等であってもよい。
【０１０１】
専用装置が上記の機能を実行できるようにするためのハードウェア、ソフトウェア、又はハードウェア及びソフトウェアの組み合わせを介して、上記のユニット及びモジュールがそれぞれ実現され得ることが当業者によって理解されるべきである。ソフトウェアによって実現される場合、ソフトウェアは、上記のコンピュータ可読媒体に格納されてもよい。当業者はまた、上記のユニットにおける複数のユニットが１つのユニットに組み合わされてもよく、且つ上記のユニットのそれぞれが複数のサブユニットに更に分割されてもよいことを理解するであろう。
【０１０２】
本発明の他の実施形態は、本明細書の検討及び本明細書で開示される本発明の実施から当業者に明らかになるであろう。本出願は、本発明の一般原理に従い、且つ当該技術分野における周知の実践又は慣行内に入るような本開示からの逸脱を含む任意の変形形態、使用又は適応形態も包含するように意図されている。本明細書及び例は、単に例示的であると見なされ、本発明の真の範囲及び趣旨は、添付の特許請求の範囲によって示されることが意図されている。
【０１０３】
本発明は、上記で説明され且つ添付の図面に示されている構造に正確に限定されず、様々な修正形態及び変更形態が本発明の範囲から逸脱せずになされ得ることが理解されるであろう。本発明の範囲は、添付の特許請求の範囲によってのみ限定されるべきであることが意図されている。
【図１】
2018530811.tif 000006
【図２−１】
2018530811.tif 000007
【図２−２】
2018530811.tif 000008
【図２−３】
2018530811.tif 000009
【図２−４】
2018530811.tif 000010
【図２−５】
2018530811.tif 000011
【図２−６】
2018530811.tif 000012
【図３】
2018530811.tif 000013
【図４】
2018530811.tif 000014
【図５】
2018530811.tif 000015
【図６】
2018530811.tif 000016
【図７】
2018530811.tif 000017
【図８】
2018530811.tif 000018
【図９】
2018530811.tif 000019
【国際調査報告】
2018530811.tif 000020
2018530811.tif 000021